(57)【要約】      （修正有）【課題】接続穴がいびつになったり、ナイフでカットした面がざらつくのを防止する。【解決手段】超音波振動子１にブースター２を固着し、このブースターに接続部を介して円筒部の端部に穴あけ刃３ｅを設けた穴あけホーン３を固着する。発振器７で発生した超音波で超音波振動子を振動し、ブースターで拡大されて穴あけホーンに伝達され、穴あけ刃を振動して、陶磁器の前工程の粘度状態のグリーンに穴を開けることにより、所望の直径の円形の接続穴を形成することができる。【選択図】        図１
2004276206.tif 000002
【特許請求の範囲】
【請求項１】
端部にブースターを固着した超音波振動子と、前記ブースターの端部の接続部に接続される傾斜部を設けた接続部、該接続部の傾斜部の端部に形成した中空の円筒部及び該円筒部の先端に設けた穴あけ刃からなる穴あけホーンとからなり、前記超音波振動子による超音波振動で前記穴あけホーンの先端の穴あけ刃を振動して陶磁器グリーンに穴を開けることを特徴とする陶磁器グリーンの超音波穴あけ装置。
【請求項２】
前記穴あけホーンの前記接続部の傾斜部の側面から前記円筒部の中空部に空気吹き込み穴を設けたことを特徴とする請求項１記載の陶磁器グリーンの超音波穴あけ装置。
【発明の詳細な説明】
【０００１】
【発明が属する技術分野】
本発明は、便器や洗面器やその他の陶磁器のグリーン（粘度状態）に穴を開ける陶磁器グリーンの穴あけ装置に関するものである。
【０００２】
【従来の技術】
従来、便器や洗面器は水の流れをコントロールするために複雑な構造に形成されており、さらに、このような複雑な構造の便器や洗面器を形成するために、ナイフが用いられており、さらに、この便器や洗面器に水を流すための流水管を取り付けるための接続穴をナイフで形成するようにしていた。
【０００３】
【発明が解決しようとする課題】
しかしながら、このような便器や洗面器に流水管を取り付けるための接続穴をナイフで形成する場合、接続穴がいびつになったり、ナイフでカットした面がざらつくので、出来上がった便器や洗面器の接続穴に流水管を取り付ける場合、接続穴にヤスリをかけて接続穴のいびつを取り除いたり、又、ざらついた接続穴を流水管を接続し易いようにヤスリをかけなければならないという問題がある。
【０００４】
【課題を解決しようとする手段】
本発明は、端部にブースターを固着した超音波振動子と、前記ブースターの端部の接続部に接続される傾斜部を設けた接続部、該接続部の傾斜部の端部に形成した中空の円筒部及び該円筒部の先端に設けた穴あけ刃からなる穴あけホーンとからなり、前記超音波振動子による超音波振動で前記穴あけホーンの先端の穴あけ刃を振動して陶磁器グリーンに穴を開けるものであり、前記穴あけホーンの前記接続部の傾斜部の側面から前記円筒部の中空部に空気吹き込み穴を設けたものである。
【０００５】
【発明の実施の形態】
本発明は、超音波振動子にブースターを固着し、このブースターに接続部を介して円筒部の端部に穴あけ刃を設けた穴あけホーンを固着し、超音波振動子で発生した超音波で円筒部の穴あけ刃を振動して、陶磁器の前工程の粘度状態のグリーンに穴を開けることにより、穴あけホーンの円筒部の穴あけ刃により所望の直径の円形の接続穴を形成することができる。
【０００６】
【実施例】
図１は本発明の陶磁器グリーンの穴あけ装置の構成図、図２は穴あけホーンの拡大図で、超音波振動子１にブースター２が固着され、このブースター２の接続腕２ａの先端に接続ネジ２ｂが形成され、この接続腕２ａの先端の接続ネジ２ｂは穴あけホーン３の接続部３ａの接続ネジ孔３ｂにねじ込まれて接続され、又、穴あけホーン３の接続部３ａに円筒部３ｃが一体に構成され、この円筒部３ｃの内部に中空部３ｄが形成され、円筒部３ｃの中空部３ｄの端部には穴あけ刃３ｅが形成され、又、ブースター２の振動の節の部分に支持部材４が固着され、この支持部材４はケース５の支持部５ａで支持され、さらに、超音波振動子１はケーブル６を介して発振器７に接続されている。
【０００７】
このように構成した本実施例の陶磁器グリーン穴あけ装置では、発振器７から発振出力を超音波振動子１に出力すると、超音波振動子１が振動されることによって、この超音波振動がブースター２で拡大され、この拡大された超音波振動は穴あけホーン３に伝達されるので、穴あけホーン３の円筒部３ｃの先端の穴あけ刃３ｅが振動し、この穴あけ刃３ｅを陶磁器グリーンの穴あけ位置に当てると、簡単に所望の直径の円の穴あけをすることができる。
【０００８】
なお、この陶磁器グリーン穴あけ装置で穴あけすることによって、穴あけ刃３ｅで切り取られた陶磁器グリーンの円形部分が穴あけホーン３の円筒部３ｂの中空部３ｄに入るが、穴あけホーン３の連結部３ａの側部３ｆから円筒部３ｄの中空部３ｄに空気吹き込み孔３ｇを形成し、穴あけホーン３の連結部３ａの側部３ｆの空気吹き込み孔３ｇから空気を吹き込むと、円筒部３ｃの中空部３ｄに入った陶磁器グリーンの円形部分を簡単に取り出すことができる。
【０００９】
このように構成した本発明の実施例の陶磁器グリーンの穴あけ装置では、陶磁器グリーンの所望の箇所に奇麗に、短時間で穴あけすることができ、又、穴あけによって穴あけホーン３の中空部３ｃに入った陶磁器グリーンの円形部は、穴あけホーン３の連結部３ａの側部３ｆの空気吹き込み孔３ｇより空気を吹き込むことにより、簡単に取り外すことができる。
【００１０】
図３は本発明の他の実施例の穴あけホーンの拡大図で、穴あけホーン８は穴あけホーン３より開ける円形の穴の直径を小さくするために、円筒形に構成され、この円筒形の穴あけホーン８の一端に接続部８ａにブースター２の接続腕２ａの接続ネジ２ｂと接続するための接続ネジ孔８ｂが形成され、他端に中空部８ｃが形成され、中空部８ｃの端部に穴あけ刃８ｄが形成され、又、穴あけホーン８の側部８ｅから中空部８ｃに空気吹き込み孔８ｆが形成されている。
【００１１】
このように構成した本実施例の穴あけホーン８でも、前記実施例と同様に、陶磁器グリーンの所望の箇所に奇麗に、短時間で穴あけすることができる。
【００１２】
【発明の効果】
以上説明したように、本発明の陶磁器グリーンの穴あけ装置では、超音波振動子にブースターを固着し、このブースターに接続部を介して円筒部の端部に穴あけ刃を設けた穴あけホーンを固着し、超音波振動子で発生した超音波で穴あけホーンの円筒部の穴あけ刃を振動し、陶磁器の前工程の粘度状態のグリーンに穴を開けることにより、穴あけホーンの円筒部の穴あけ刃の直径を所望の大きさにすることにより、所望の直径の円形の接続穴を奇麗に、短時間に形成することができるという利点がある。
【図面の簡単な説明】
【図１】本発明の実施例の陶磁器グリーンの穴あけ装置の構成図である。
【図２】図１の陶磁器グリーンの穴あけ装置の穴あけホーンの拡大図である。
【図３】本発明の他の実施例の穴あけホーンの拡大図である。
【符号の説明】
１          超音波振動子
２          ブースター
３          穴あけホーン
４          支持部材
５          ケース
６          ケーブル
７          発振器
８          穴あけホーン
【図１】
2004276206.tif 000003
【図２】
2004276206.tif 000004
【図３】
2004276206.tif 000005